(57)【要約】      （修正有）【課題】強磁性無端ベルトの磁気特性を高い分解能で測定する。【解決手段】磁化可能な無端ベルトの一部分の磁気特性を測定する装置および方法を開示する。本装置において、二次コイル６の巻線は、励磁コイル３の巻線と同軸に、且つ、励磁コイル３と同様に、無端ベルトの幅全体にわたって延在している。本装置は、磁界４を発生させるための巻線３ａからなる一次コイル３と、二次コイル６と、一対の界磁コイル７および、一対の界磁コイル７に対応して配置された一対のプローブコイル８と、磁束を案内するためのスロット付きヨーク５とを備える。【選択図】図２
2020180969.tif 000002
【特許請求の範囲】
【請求項１】
磁化可能な無端ベルト（２）の磁気特性を測定する装置（１）であって、
磁界（４）を発生させる一次コイル（３）であって、前記無端ベルト（２）を取り囲む一次コイル（３）と、
磁束密度を測定する二次コイル（６）であって、前記無端ベルト（２）を取り囲む二次コイル（６）と、
磁束を案内する、スロット付きヨーク（５）であって、前記無端ベルト（２）は前記ヨーク（５）のスロットを通って延在するヨーク（５）と、
前記無端ベルト（２）に平行な各幅部分において、前記磁界（４）を測定するための第１の複数の測定デバイス（７）と、
前記無端ベルト（２）の幅部分それぞれにおける前記磁束を測定するための第２の複数の測定デバイス（８）と
を有する装置。
【請求項２】
請求項１に記載の装置であって、
前記第１および前記第２の複数の測定デバイスは、少なくとも２つの幅部分において測定を行い、好ましくは５つを超える幅部分において測定を行い、特に好ましくは１４の幅部分において測定を行う
ことを特徴とする装置。
【請求項３】
請求項１または２に記載の装置であって、
１つの幅部分における前記磁界を測定するための前記測定デバイス（７）は、前記無端ベルト（２）の上方および下方に配置される
ことを特徴とする装置。
【請求項４】
請求項１〜３の何れか一項に記載の装置であって、
前記磁束密度を測定するための前記測定デバイス（８）は、前記無端ベルト（２）の上方および下方に位置する１つの幅部分に配置される
ことを特徴とする装置。
【請求項５】
請求項１〜４の何れか一項に記載の装置であって、
前記無端ベルト（２）の縁に配置された測定デバイス（７、８）は、中心に配置された測定デバイス（７、８）よりも狭い幅部分において検出を行う
ことを特徴とする装置。
【請求項６】
磁化可能な無端ベルト（２）の１つの幅部分の磁気特性を測定する方法であって、
前記無端ベルト（２）の幅にわたって磁界（４）を発生させるステップと、
発生した総磁界（４）を測定するステップと、
前記無端ベルト（２）の表面に平行な幅部分（７ａ）において、前記磁界を測定するステップと、
前記無端ベルト（２）の幅部分からヨーク（５）に入る磁束を測定するステップと、
前記無端ベルトの前記幅部分の磁気特性を、測定された前記総磁界と、当該幅部分における磁束密度と、当該幅部分の磁界とに基づき、測定するステップと
を含む方法。
【請求項７】
請求項６に記載の方法であって、
前記無端ベルト全体の幅は、計測上は、少なくとも３つの幅部分に分割され、好ましくは５を超える幅部分に分割され、特に好ましくは１４の幅部分に分割される
ことを特徴とする方法。
【請求項８】
請求項６または７に記載の方法であって、
前記無端ベルトは、連続的に移動する
ことを特徴とする方法。
【請求項９】
請求項６〜８の何れか一項に記載の方法であって、
前記磁界は、前記無端ベルトの上方および下方に位置する幅部分において測定される
ことを特徴とする方法。
【発明の詳細な説明】
【技術分野】
【０００１】
本発明は、磁化可能な無端ベルトの磁気特性を測定する装置および方法であって、特に、スチールベルト、磁界発生用のコイルを有する装置、測定用の複数のコイルを対象とする。
【背景技術】
【０００２】
変圧器用コアならびに固定子およびその他鉄心は、互いに電気的に絶縁された軟磁性薄板（所謂薄鉄板または薄鋼板）の多数の層で構成されている。
【０００３】
積層鉄板製のコアでは、各薄板は、打ち抜かれたまたは切断された個別の薄板から製作されるのが一般である。このような個別の薄板は、鋼帯から打ち抜かれるか、または、長手方向および横方向パーツによって切断される。そのため、コアの特性は、個別の薄板が互いに電気的に絶縁されている場合は、各薄板の磁気特性に応じて決まる。したがって、重要な磁気パラメータは、薄板が交番磁界によって励磁されたときに薄板に発生する総電力損失である。
【０００４】
このような電磁鋼帯は、通常は、ロール状で（所謂コイルとして）製造および供給されるものであり、無端ベルトとも称される。無端ベルトの磁気特性は、ベルト内のあらゆる場所で同一であるのではなく、領域毎に大幅に異なることがある。
【０００５】
したがって、強磁性材料製の無端ベルトの磁気特性を非破壊的に測定して、当該無端ベルトの磁気特性に関する知見を得て、当該無端ベルトの各領域をそれぞれの磁気特性に応じて処理できるようにすることが望ましい。
【０００６】
このような無端ベルトの磁気特性を測定する従来の装置は、無端ベルトの磁気特性の測定値を、ベルトの幅全体にわたって一括で測定している。
【０００７】
特許文献１に記載されている装置では、無端ベルトが装置を通って延在している。この無端ベルトは、励磁コイルおよび測定用コイルを通って延在することになり、この測定用コイルは、無端ベルトの幅全体にわたって測定する。複数の測定用コイル（所謂界磁コイルまたはＨコイル）が無端ベルトの幅方向に隣り合わせで配置され、この複数の測定用コイルが、無端ベルトの磁気特性を幅全体にわたって一括で測定するにすぎない。無端ベルトの磁化損失を測定するために、規定された磁束密度Ｂを励磁コイルによってベルトに発生させ、磁界ＨをＨコイルで測定し、測定された磁束密度Ｂと磁界Ｈの値から公知の方法で磁気損失を求めることができる。
【０００８】
特許文献２には、強磁性材料製の無端ベルトの磁気特性を無端ベルトの幅全体にわたって連続的に測定する装置が記載されている。この装置は、磁界を発生させるための励磁コイルを備えており、このコイルの巻線は、無端ベルトの幅全体にわたって延在している。測定用コイルは、励磁コイルの内側に、且つ、励磁コイルと同軸に配置されている。測定用コイルは、無端ベルトが励磁コイル内の交流電流によって励磁されたときに該無端ベルトに誘導される磁束を測定する。更に、この装置は、ヨークを少なくとも２つ備えている。これらヨークは、励磁コイルの周りに延在し、無端ベルトを通すための空隙を有し、磁気回路を完成させる。この少なくとも２つのヨークは、互いから距離を置いて配置されている。各ヨークは、多数のヨーク片で構成されており、これらヨーク片は、互いに絶縁され、並べて配置されている。２つのヨークが離れて配置されていること、且つ、これらヨークがそれぞれのヨーク片に細分割されていることにより、無端ベルトに発生する渦電流が細分割され、ひいては測定中の無端ベルトでの渦電流による損失が減り、損失測定時の測定精度が向上する。
【先行技術文献】
【特許文献】
【０００９】
【特許文献１】米国特許第３，２８１，６７８号
【特許文献２】独国特許発明第２４  １１  ５６５  Ｃ２号
【発明の概要】
【発明が解決しようとする課題】
【００１０】
前述の従来技術に基づく、無端ベルトの連続測定（所謂インライン測定）のための装置であって、特に、無端ベルトの幅全体にわたって最大限の局所的分解能で、交番磁界励起時の損失電力が得られる装置が望まれている。
【課題を解決するための手段】
【００１１】
磁化可能な無端ベルト（２）の磁気特性を測定する装置（１）である。装置（１）は、磁界（４）を発生させる一次コイル（３）であって、前記無端ベルト（２）を取り囲む一次コイル（３）と、磁束密度を測定する二次コイル（６）であって、前記無端ベルト（２）を取り囲む二次コイル（６）と、磁束を案内する、スロット付きヨーク（５）であって、前記無端ベルト（２）は前記ヨーク（５）のスロットを通って延在するヨーク（５）と、前記無端ベルト（２）に平行な各幅部分において、前記磁界（４）を測定するための第１の複数の測定デバイス（７）と、前記無端ベルト（２）の幅部分それぞれにおける前記磁束を測定するための第２の複数の測定デバイス（８）と
を有する。
【発明の効果】
【００１２】
以下に記載する装置およびこれに対応する方法は、無端ベルトの磁気損失電力のこのような連続測定を、無端ベルトの幅全体にわたって高い局所的分解能での実現を可能にする。
【図面の簡単な説明】
【００１３】
【図１】強磁性無端ベルトの磁気特性を測定する装置の斜視図である。
【図２】前記装置の概略断面図である。
【図３】磁界または磁束を求める測定デバイスの第１の配置の概略を表したものである。
【図４ａ】磁界または磁束を求める測定デバイスの別の配置の概略を表したものである。
【図４ｂ】磁界または磁束を求める測定デバイスの別の配置の概略を表したものである。
【発明を実施するための形態】
【００１４】
添付の各図において、同じ参照符号は、模式的に図示されている装置の同じ要素を示している。これらの図は一定の縮尺で描かれてはおらず、全ての詳細を示してもいない。これらの図は、本装置のさまざまな配置を示す役割を担っているだけである。これらの図は、装置の概略図であり、実質的には、励磁コイルと、センサまたは測定用コイルとの配置を示している。明瞭化のために、励磁コイルをトリガするための電気機器および電子機器の素子や、センサまたは測定用コイルからの信号を評価するための電子機器の素子は図示されていない。その理由は、これらの構造およびトリガは以下の説明から当業者には明らかであることによる。
【００１５】
後述する本発明の実施形態においては、コイルと無端ベルトとの間の距離のばらつきを平均化によって打ち消すために、無端ベルトの上方および下方に複数の界磁コイルが配置されている。実施形態の複数の選択肢として、前述のコイルと無端ベルトとの間の距離が既知で且つ一定である場合は、対応するコイルを無端ベルトの上方または下方にのみ配置できる。同様に、後述する実施形態においては、無端ベルトからヨークに入る磁束全体を検出するために、複数のプローブコイルが無端ベルトの上方および下方に配置される。実施形態の複数の選択肢としては、対称性または他の理由により各磁束を十分な精度で判定できるのであれば、前述のプローブコイルを無端ベルトの上方または下方にのみ配置できる。
【００１６】
図１は、無端ベルト２の磁気特性を測定する装置１の概略斜視図を示す。この装置は、入口側と出口側を有する筐体１ａを備える。入口側および出口側には、スロット形状の開口部がそれぞれ配置される。作動中、無端ベルト２は入口側から装置に入り、出口側から装置を出る。このとき、無端ベルトは、矢印２ａで示すように、装置を通過して連続的に移動する。無端ベルトの磁気特性は、無端ベルトが装置を通過しつつ連続的に測定できる。このようにして、製造ラインにおいて装置を「インラインで」使用できる。
【００１７】
図２は、前述の装置の、無端ベルト２の移動方向２ａに沿った概略断面図を示す。装置の重要なコイルまたはセンサのみが示されている。筐体１ａは、この図に示されていない。
【００１８】
磁気特性を（特に、再着磁中の損失を）測定しようとする強磁性無端ベルト２は、本装置を通って延在し、矢印２ａの方向に移動する。
【００１９】
本装置は、励磁コイル３を備える。励磁コイルは、このようなシステムでは一次コイルとも呼ばれる。励磁コイル３の巻線３ａと、励磁電流が流れる方向とを図に示す。なお、励磁電流は、５０Ｈｚ〜４００Ｈｚの周波数、特に５０Ｈｚまたは６０Ｈｚの周波数を通常は有する。これにより、励磁コイル３は、図示の瞬間において、矢印４にて示す場を発生させている。励磁コイル３の巻線は、無端ベルトの周囲を案内されるので、無端ベルトの幅は磁界４内にある。発生した磁界４の方向は、無端ベルトの移動方向に平行な方向と逆平行な方向との間で変化する。
【００２０】
本装置１は、磁界４を案内するためのスロット付きヨーク５を備える。ヨーク５の各スロットは、装置の入口側および出口側に配置されている。無端ベルトは、ヨーク５の両スロットを通って延在する。図２では、このように、ヨーク５の一方の部分が無端ベルト２の下方に配置され、ヨーク５のもう一方の部分が無端ベルト２の上方に配置されている。
【００２１】
したがって、発生した磁界４は、ヨーク５を通って、およびその間で無端ベルト２を通って、または無端ベルト２に平行に空気を通って、流れる。
【００２２】
更に、本装置は、二次コイル６を備える。二次コイル６の巻線は、励磁コイル３の巻線と同軸に、且つ、励磁コイル３と同様に、無端ベルト２の幅全体にわたって延在している。すなわち、二次コイル６の巻線は、無端ベルトを取り囲んでいる。二次コイル６は、励磁コイル３の内側に配置される。更に、二次コイル６は、磁界全体が二次コイル６を通過するように、励磁コイル３の内側に配置されるのが理想的である。これにより、無端ベルト内の磁束を二次コイル６によって測定できる。ある実施形態において、二次コイル６は励磁コイル３の内側に配置され、励磁コイル３の巻線の直近に絶縁層を有する。これにより、二次コイル６は、磁束全体の測定を可能にする。
【００２３】
また、装置１は、複数の所謂界磁コイル７と、これらに対応する複数の所謂プローブコイル８、所謂ピックアップコイルとを有する。一対の界磁コイル７は、対応して配置された一対のプローブコイル８に対して割り当てられる。
【００２４】
無端ベルトの移動方向に互いに隣接配置された複数の異なるセグメントについて、本装置では、これらセグメントおける再着磁中の電力損失を測定可能となる。この結果、磁気特性は、無端ベルトの幅全体にわたって測定されるのではなく、より狭いセグメント単位で測定される。計測上は、無端ベルトの幅は、互いに隣接する複数の部分に細分割され、これら複数の部分は、それぞれの幅を有する。このようにして、計測上は、無端ベルトを複数のセグメントに分割できる。以下に説明するように、各セグメントの長さは、測定デバイスの長さによってあらかじめ決まり、各セグメントの幅は、全体の幅の一部分となる。
【００２５】
無端ベルト全体の幅は、通常は０．９〜２ｍであり、計測上は、複数の幅部分に細分割される。これら複数の部分それぞれの幅は、同一であってもよく、異なってもよい。無端ベルトの縁に位置する幅部分については、例えば、エッジ効果をより適切に考慮できるようにするために、中間の幅部分より大幅に狭くしてもよい。
【００２６】
界磁コイル７は、無端ベルトの上方および下方に対で配置される。界磁コイル７は、無端ベルトの表面に平行な磁界を測定するためのものである。磁界を測定するための一対の界磁コイルは、１つのセグメントに対して、すなわち１つの幅部分に対して設けられる。これら界磁コイルの向きは、励磁コイル３の方向に平行である。この場合、複数の界磁コイル７がベルトの幅方向に互いに隣接して配置され、磁界の場の強さが無端ベルト２の幅全体にわたって測定されるようになっている。無端ベルトの上方および下方に配置された複数対の界磁コイル７はそれぞれ、同じ幅における場の強さを検出する。各界磁コイルの幅はセグメントの幅であり、すなわち、セグメントの幅部分の幅である。以下の記載において、各界磁コイルの幅は、セグメントの測定幅に等しい。別の実施形態においては、ホールセンサや磁力計等の他の測定手段を使用して磁界の強さを測定可能である。
【００２７】
装置１は、プローブコイル８を更に備える。プローブコイル８は、ピックアップコイルとも称され、無端ベルト２からヨーク５に入る磁束を、１つの幅部分において測定する。プローブコイル８は、ヨーク５の空隙またはスロットに配置されている。プローブコイル８は、このような１つの幅部分における磁束を検出するための幅を有する。この幅は、界磁コイルの幅に対応し、対応する幅の磁界を含む。以下においては、１つのプローブコイルの幅は、セグメントの測定幅に等しい。したがって、１つのプローブコイル８は、一対の界磁コイルが磁界の強さを測定した１つの幅部分の磁束を測定するので、これらコイルまたは対応する測定デバイスはそれぞれ同じ幅を有する。各幅部分に対して、１つのプローブコイル８が無端ベルトの上方に配置され、１つのプローブコイル８が無端ベルトの下方に配置されることが好ましい。これらプローブコイル８は、無端ベルト２の、プローブコイル８と同じ幅の磁束を、その幅部分において検出する。無端ベルトのこのような幅部分またはセグメントの総磁束は、無端ベルトの上方および下方に載置された一対のプローブコイルが検出した磁束の和である。
【００２８】
別の実施形態においては、プローブコイル８と界磁コイル７を、別の測定デバイス（例えばホールプローブ）で代替可能である。磁束測定用の測定デバイス８は、必要に応じて、これを装置１の入口端または出口端に設置可能である。
【００２９】
界磁コイル７およびプローブコイル８の各々は、無端ベルト２の幅に対して互いに対で割り当てられる。これにより、一対の界磁コイル７が、無端ベルトの１つの幅部分における場の強さを検出し、割り当てられた一対のプローブコイル８は、同じ幅部分において無端ベルトから鉄心に入る磁束を測定する。
【００３０】
このようにして、無端ベルトの同じ幅部分に配置された一対の界磁コイル７と一対のプローブコイル８とは、無端ベルトに平行な磁界の強さと、無端ベルト２の同じ幅部分における（すなわち無端ベルトの１つのセグメントにおける）磁束とを検出する。よって、当該セグメントにおけるヒステリシスの算出が可能となり、これにより損失値の算出が可能となる。
【００３１】
測定された場の強さＨと磁束密度Ｂとから無端ベルトの一セグメントの相関電力損失ＣＰＬ（Ｃｏｒｒｅｌａｔｅｄ  Ｐｏｗｅｒ  Ｌｏｓｓ）を求めることができる。場の強さの測定は、上側および下側の界磁コイル７で実現する。１つのセグメントにおいて無端ベルトの上方で測定された場の強さは、以下においてＨｏと呼び、無端ベルトの下方で測定された場の強さは、Ｈｕと呼ぶものとする。セグメントの磁束密度の測定は、プローブコイル８によって行われる。当該セグメントにおいて無端ベルトの上方で測定された磁束密度は、以下においてＢｏと呼び、当該セグメントにおいて無端ベルトの下方で測定された磁束密度は、Ｂｕと呼ぶものとする。
【００３２】
１つのセグメントの場の強さは、以下のように求められる。まず、無端ベルトの上方および下方にある１つのセグメントの場の強さが、界磁コイル７を用いて求められる。
【数１】
2020180969.tif 000003
Ｎ：巻線数
Ａ：磁束が横切る断面積
μ０：磁界定数
ｕＨｏ：上側界磁コイルにおける誘起電圧
ｕＨｕ：下側界磁コイルにおける誘起電圧
【００３３】
次に、場の強さＨｕおよびＨｏの平均値を算出する。上側および下側の界磁コイルから材料表面までの距離は同じであると仮定する。本装置はこの仮定を満たすので、場の平均強さＨＭｅｄｉｕｍを算出できる。
【数２】
2020180969.tif 000004
【００３４】
無端ベルトの各セグメントについて平均化された場の強さＨＳｅｇｍｅｎｔは、校正係数ｋを掛けることによって得られる。校正係数ｋは、これら界磁コイル７の平均値を一次コイル３が発生させた場の強さに適合化させる。
ＨＳｅｇｍｅｎｔ＝ｋｉ＊ＨＭｅｄｉｕｍ
【００３５】
１つのセグメントにおける磁束密度も同様に求められる。１つのセグメントにおける磁束は、複数の部分磁束の和から得られる、または、上側または下側のプローブコイルによって得られる。そのため、まず、これらプローブコイル８に誘起される電圧を対で加算する。
ｕＢ（ｔ）＝ｕＢｏ（ｔ）＋ｕＢｕ（ｔ）
これにより、１つのセグメントにおける磁束ΦＢが得られる。
【数３】
2020180969.tif 000005
【００３６】
ここで、測定された磁束ΦＢを、複数のセグメントにおいて、測定された総磁束密度に相関させる。総磁束密度は、二次コイル６によって測定されたものである。相関係数ｎｉは、１つのセグメントについて求められた磁束密度ΦＢを総磁束密度に適応させる。
【数４】
2020180969.tif 000006
Ｎ：プローブコイル８の巻線数
Ａ：無端ベルトの当該セグメントにおいて磁束が横切る断面積
【００３７】
ここで、一セグメントについて求められたＨＳｅｇｍｅｎｔの値およびＢＳｅｇｍｅｎｔの値から電力損失を求めることができる。
【数５】
2020180969.tif 000007
ｆ：励起場の周波数
ρ：無端ベルトの平均密度
Ｔ：励起場の周期
【００３８】
このように、無端ベルトの１つのセグメントの電力損失が、当該幅部分の磁束密度Ｂの測定値および場の強さＨの測定値から求められる。
【００３９】
セグメントにおける電力損失を算出するために、本装置は、測定された電圧／電流をデジタル信号に変換するための適切な測定変換器と、デジタル信号処理デバイスとを備える。デジタル化された測定値は、デジタル信号処理に送られる。デジタル信号処理デバイスは、デジタル化された測定値に基づき、適切なコンピュータプログラムを使用して、各セグメントについて電力損失値を求める。求められた電力損失値は、グラフィック表示にして表示することができる。
【００４０】
図３は、界磁コイル７または対応する磁界測定用測定デバイスと、プローブコイル８またはこれに対応する測定デバイスであって無端ベルト２からヨーク５に入る磁束の測定用の測定デバイスとの概略配置を示す。図３には、無端ベルト２、一次励磁コイル３、磁界全体を測定するための二次コイル６は示されていない。矢印２ａは、無端ベルトがヨーク５の第１および第２スロットを通って延在する方向を示す。
【００４１】
無端ベルトの上方および下方の磁界を測定する測定デバイス７は、幅７ａを有する。無端ベルト（図示せず）の上方に配置された測定デバイス７の幅は、無端ベルトの下方に配置された測定デバイスの幅に対応する。同様に、無端ベルトから鉄心５に入る磁束を測定する測定デバイス８は、幅８ａを有する。無端ベルトの上方に配置された測定デバイス８の幅は、無端ベルトの下方の当該幅部分に配置された測定デバイス８の幅に対応する。
【００４２】
磁気特性が測定される無端ベルトの１つの部分の幅７ａまたは幅８ａは、測定デバイス７の幅または測定デバイス８の同一の幅、すなわち測定デバイスの幅によって決まる。そのため、測定デバイス７および８は、１つの幅部分について、場の強さまたは磁束を求める。したがって、図３に示されている設計では、測定時に装置の中に存在する、無端ベルト２の１つの長さ部分が、計測上は、３つの互いに並んだ幅部分に細分割される。
【００４３】
図４ａは、測定デバイス７，８の別の配置の概略斜視図を示す。測定デバイス７，８は、ヨーク５の内側またはヨークの空隙（スロット）に配置されている。上記の図３と同様に、無端ベルト２、一次励磁コイルいずれも図示されていない。
【００４４】
図４ｂは、無端ベルトに平行な磁界を測定するための測定デバイス７の配置と、無端ベルトからヨーク５に入る磁束を測定するための測定デバイスであるプローブコイル８の対応する配置とを示す概略上面図である。図４ｂには、これら測定デバイスの配置を示すために、ヨーク５の上側脚部は示されていない。この図に模式的に示されているように、ヨーク５は、バンド方向に並べて配置された複数の部分ヨークで構成してもよい。
【００４５】
無端ベルトの移動方向は、この図でも矢印２ａで示されている。これら測定デバイスの配置が示しているのは、無端ベルトの縁またはヨーク５の一方の縁に載置された３つの測定デバイス７’の測定幅は、中心に配置された８つの測定デバイス７”より狭いことである。同様に、無端ベルトの縁またはヨーク５の一方の縁に配置されたプローブコイル８’の幅は、中心に配置された８つのプローブコイル８”の幅より相応に狭い。１つの幅部分のこれら測定デバイス７の測定幅は、ここでも１つの測定デバイス８の測定幅に対応する。これにより、無端ベルトの１つの幅部分の磁気特性を、一対の測定デバイス７と一対の測定デバイス８とによって求めることができる。本実施形態においては、無端ベルトの１つの長さ部分の磁気特性を検出するために、合計で１４対の測定デバイス７（例えば界磁コイル）および対応する１４対の測定デバイス８（例えばプローブコイル）が使用される。各縁に設けられた３対の界磁コイル７’および３対のプローブコイル８’の幅は、より中心に配置された、対応する界磁コイル対７”またはプローブコイル８”の幅より小さい。したがって、この配置では、無端ベルトの各縁領域における磁気特性をより細かい分解能で求めることができる。
【００４６】
強磁性無端ベルトの磁気特性測定用の従来の装置類に、励磁コイル３と総磁界を求めるための二次コイル６とに加えて、ヨーク５を設け、装置内の空間条件が適切となっている場合は、磁界を求めるための測定デバイス７を無端ベルトに平行に配置できる。すなわち、無端ベルトからヨークに入る磁束を測定するために、例えば、界磁コイル７および対応するプローブコイル８を配置できる。
【符号の説明】
【００４７】
１  磁気特性を測定するための装置
１ａ  筐体
２  無端ベルト
２ａ  無端ベルトの移動方向
３  励磁コイル、一次コイル
３ａ  巻線
４  磁界
５  ヨーク
６  二次コイル
７  界磁コイル、測定デバイス
７ａ  幅＝界磁コイルの測定幅
７’  エッジ領域の界磁コイル、測定デバイス
７”  中心領域の界磁コイル、測定デバイス
８  プローブコイル、測定デバイス
８ａ  幅＝プローブコイル８の測定幅
８’  エッジ領域のプローブコイル、測定デバイス
８”  中心領域のプローブコイル、測定デバイス
【図１】
2020180969.tif 000008
【図２】
2020180969.tif 000009
【図３】
2020180969.tif 000010
【図４ａ】
2020180969.tif 000011
【図４ｂ】
2020180969.tif 000012
【外国語明細書】
2020180969000001.pdf